(57)【要約】【課題】  カラー画像データを構成する画像要素の全部または一部を白黒化した結果について、利用者が容易に確認することができる画像データ生成装置、画像形成装置及び画像データ生成プログラムを提供する。【解決手段】  蓄積処理部１００がアプリケーション２０から受け取ったカラー画像データを蓄積データに変換してスプール部１８１に格納する。白黒化判定部１４０は、所定の白黒化条件に基づいて、上記蓄積データについて、カラー画像データを構成する画像要素毎に白黒化するか否かを判定する。表示制御部１２０は、この判定結果に基づき、上記蓄積データを各画像要素単位で白黒表示処理またはカラー表示処理し、元画像とともに表示部２４０にプレビュー表示する。その後、印刷処理部１６０が、上記白黒化判定部１４０の判定結果に基づき、印刷データを生成する。【選択図】        図１
2008080592.tif 000002
【特許請求の範囲】
【請求項１】
画像データの各画像要素について、所定の条件に基づいて白黒化するか否かを判定する白黒化判定手段と、
前記各画像要素のうち、白黒化すると判定された画像要素を白黒画像に変換して表示し、他の画像要素は変換せずに表示する変換画像表示手段と、
前記画像データを元画像として表示する元画像表示手段と、
を備えることを特徴とする画像データ生成装置。
【請求項２】
画像データの各画像要素について、所定の条件に基づいて白黒化するか否かを判定する白黒化判定手段と、
前記各画像要素のうち、白黒化すると判定された画像要素を白黒画像に変換して表示し、他の画像要素は変換せずに表示するとともに、前記白黒画像を点滅表示する変換画像表示手段と、
を備えることを特徴とする画像データ生成装置。
【請求項３】
画像データの各画像要素について、所定の条件に基づいて白黒化するか否かを判定する白黒化判定手段と、
前記各画像要素のうち、白黒化すると判定された画像要素のみを白黒画像に変換して表示する変換画像表示手段と、
を備えることを特徴とする画像データ生成装置。
【請求項４】
請求項３記載の画像データ生成装置において、前記変換画像表示手段は、表示する画像の余白領域を削除し、白黒画像として表示される画像要素を詰めて表示することを特徴とする画像データ生成装置。
【請求項５】
請求項１から請求項４のいずれか一項記載の画像データ生成装置において、前記白黒化判定手段が判定に使用する所定の条件は、変更可能であることを特徴とする画像データ生成装置。
【請求項６】
請求項５記載の画像データ生成装置において、前記白黒化判定手段は、前記所定の条件が変更される都度、白黒化する画像要素を変更し、前記変換画像表示手段は、当該白黒化する画像要素の変更を表示に反映することを特徴とする画像データ生成装置。
【請求項７】
請求項１から請求項６のいずれか一項記載の画像データ生成装置において、前記変換画像表示手段が表示する画像と前記元画像表示手段が表示する画像とは、同一の画面に並べて表示されることを特徴とする画像データ生成装置。
【請求項８】
画像データの各画像要素について、所定の条件に基づいて白黒化するか否かを判定する白黒化判定手段と、
前記各画像要素のうち、白黒化すると判定された画像要素を白黒画像に変換して表示し、他の画像要素は変換せずに表示する変換画像表示手段と、
前記画像データを元画像として表示する元画像表示手段と、
を備えることを特徴とする画像形成装置。
【請求項９】
画像データの各画像要素について、所定の条件に基づいて白黒化するか否かを判定する白黒化判定手段と、
前記各画像要素のうち、白黒化すると判定された画像要素を白黒画像に変換して表示し、他の画像要素は変換せずに表示するとともに、前記白黒画像を点滅表示する変換画像表示手段と、
を備えることを特徴とする画像形成装置。
【請求項１０】
画像データの各画像要素について、所定の条件に基づいて白黒化するか否かを判定する白黒化判定手段と、
前記各画像要素のうち、白黒化すると判定された画像要素のみを白黒画像に変換して表示する変換画像表示手段と、
を備えることを特徴とする画像形成装置。
【請求項１１】
画像データの各画像要素について、所定の条件に基づいて白黒化するか否かを判定する白黒化判定手段と、
前記各画像要素のうち、白黒化すると判定された画像要素を白黒画像に変換して表示し、他の画像要素は変換せずに表示する変換画像表示手段と、
前記画像データを元画像として表示する元画像表示手段と、
前記変換画像表示手段が表示した画像を印刷する印刷手段と、
を備えることを特徴とする画像形成システム。
【請求項１２】
画像データの各画像要素について、所定の条件に基づいて白黒化するか否かを判定する白黒化判定手段と、
前記各画像要素のうち、白黒化すると判定された画像要素を白黒画像に変換して表示し、他の画像要素は変換せずに表示するとともに、前記白黒画像を点滅表示する変換画像表示手段と、
前記変換画像表示手段が表示した画像を印刷する印刷手段と、
を備えることを特徴とする画像形成システム。
【請求項１３】
画像データの各画像要素について、所定の条件に基づいて白黒化するか否かを判定する白黒化判定手段と、
前記各画像要素のうち、白黒化すると判定された画像要素のみを白黒画像に変換して表示する変換画像表示手段と、
前記変換画像表示手段が表示した画像を印刷する印刷手段と、
を備えることを特徴とする画像形成システム。
【請求項１４】
画像データの各画像要素について、所定の条件に基づいて白黒化するか否かを判定し、
前記各画像要素のうち、白黒化すると判定された画像要素を白黒画像に変換して表示し、他の画像要素は変換せずに表示し、
前記画像データを元画像として表示する処理をコンピュータに実行させることを特徴とする画像データ生成プログラム。
【請求項１５】
画像データの各画像要素について、所定の条件に基づいて白黒化するか否かを判定し、
前記各画像要素のうち、白黒化すると判定された画像要素を白黒画像に変換して表示し、他の画像要素は変換せずに表示するとともに、前記白黒画像を点滅表示する処理をコンピュータに実行させることを特徴とする画像データ生成プログラム。
【請求項１６】
画像データの各画像要素について、所定の条件に基づいて白黒化するか否かを判定し、
前記各画像要素のうち、白黒化すると判定された画像要素のみを白黒画像に変換して表示する処理をコンピュータに実行させることを特徴とする画像データ生成プログラム。
【発明の詳細な説明】
【技術分野】
【０００１】
本発明は、画像データ生成装置、画像形成装置、画像形成システム及び画像データ生成プログラムに関する。
【背景技術】
【０００２】
従来より、画像データの各画像要素の一部のみをカラー表示し、他の画像要素を白黒表示して、印刷時の印刷コストを低減する技術が知られている。
【０００３】
例えば、下記特許文献１には、利用者が指定した色をカラー表示し、他を白黒表示するカラー表示／印刷方法が開示されている。
【０００４】
【特許文献１】特開平８−３２９２２３号公報
【発明の開示】
【発明が解決しようとする課題】
【０００５】
本発明の目的は、画像データを構成する画像要素の全部または一部を白黒化した結果について、利用者が容易に確認することができる画像データ生成装置、画像形成装置、画像形成システム及び画像データ生成プログラムを提供することにある。
【課題を解決するための手段】
【０００６】
上記目的を達成するために、請求項１記載の画像データ生成装置の発明は、画像データの各画像要素について、所定の条件に基づいて白黒化するか否かを判定する白黒化判定手段と、前記各画像要素のうち、白黒化すると判定された画像要素を白黒画像に変換して表示し、他の画像要素は変換せずに表示する変換画像表示手段と、前記画像データを元画像として表示する元画像表示手段と、を備えることを特徴とする。
【０００７】
請求項２記載の画像データ生成装置の発明は、画像データの各画像要素について、所定の条件に基づいて白黒化するか否かを判定する白黒化判定手段と、前記各画像要素のうち、白黒化すると判定された画像要素を白黒画像に変換して表示し、他の画像要素は変換せずに表示するとともに、前記白黒画像を点滅表示する変換画像表示手段と、を備えることを特徴とする。
【０００８】
請求項３記載の画像データ生成装置の発明は、画像データの各画像要素について、所定の条件に基づいて白黒化するか否かを判定する白黒化判定手段と、前記各画像要素のうち、白黒化すると判定された画像要素のみを白黒画像に変換して表示する変換画像表示手段と、を備えることを特徴とする。
【０００９】
請求項４記載の発明は、上記請求項３記載の発明において、前記変換画像表示手段は、表示する画像の余白領域を削除し、白黒画像として表示される画像要素を詰めて表示することを特徴とする。
【００１０】
請求項５記載の発明は、上記請求項１から請求項４のいずれか一項記載の発明において、前記白黒化判定手段が判定に使用する所定の条件が、変更可能であることを特徴とする。
【００１１】
請求項６記載の発明は、上記請求項５記載の発明において、前記白黒化判定手段が、前記所定の条件が変更される都度、白黒化する画像要素を変更し、前記変換画像表示手段が、当該白黒化する画像要素の変更を表示に反映することを特徴とする。
【００１２】
請求項７記載の発明は、上記請求項１から請求項６のいずれか一項記載の発明において、前記変換画像表示手段が表示する画像と前記元画像表示手段が表示する画像とが、同一の画面に並べて表示されることを特徴とする。
【００１３】
請求項８記載の画像形成装置の発明は、画像データの各画像要素について、所定の条件に基づいて白黒化するか否かを判定する白黒化判定手段と、前記各画像要素のうち、白黒化すると判定された画像要素を白黒画像に変換して表示し、他の画像要素は変換せずに表示する変換画像表示手段と、前記画像データを元画像として表示する元画像表示手段と、を備えることを特徴とする。
【００１４】
請求項９記載の画像形成装置の発明は、画像データの各画像要素について、所定の条件に基づいて白黒化するか否かを判定する白黒化判定手段と、前記各画像要素のうち、白黒化すると判定された画像要素を白黒画像に変換して表示し、他の画像要素は変換せずに表示するとともに、前記白黒画像を点滅表示する変換画像表示手段と、を備えることを特徴とする。
【００１５】
請求項１０記載の画像形成装置の発明は、画像データの各画像要素について、所定の条件に基づいて白黒化するか否かを判定する白黒化判定手段と、前記各画像要素のうち、白黒化すると判定された画像要素のみを白黒画像に変換して表示する変換画像表示手段と、を備えることを特徴とする。
【００１６】
請求項１１記載の画像形成システムの発明は、画像データの各画像要素について、所定の条件に基づいて白黒化するか否かを判定する白黒化判定手段と、前記各画像要素のうち、白黒化すると判定された画像要素を白黒画像に変換して表示し、他の画像要素は変換せずに表示する変換画像表示手段と、前記画像データを元画像として表示する元画像表示手段と、前記変換画像表示手段が表示した画像を印刷する印刷手段と、を備えることを特徴とする。
【００１７】
請求項１２記載の画像形成システムの発明は、  画像データの各画像要素について、所定の条件に基づいて白黒化するか否かを判定する白黒化判定手段と、前記各画像要素のうち、白黒化すると判定された画像要素を白黒画像に変換して表示し、他の画像要素は変換せずに表示するとともに、前記白黒画像を点滅表示する変換画像表示手段と、前記変換画像表示手段が表示した画像を印刷する印刷手段と、を備えることを特徴とする。
【００１８】
請求項１３記載の画像形成システムの発明は、画像データの各画像要素について、所定の条件に基づいて白黒化するか否かを判定する白黒化判定手段と、前記各画像要素のうち、白黒化すると判定された画像要素のみを白黒画像に変換して表示する変換画像表示手段と、前記変換画像表示手段が表示した画像を印刷する印刷手段と、を備えることを特徴とする。
【００１９】
請求項１４記載の画像データ生成プログラムの発明は、画像データの各画像要素について、所定の条件に基づいて白黒化するか否かを判定し、前記各画像要素のうち、白黒化すると判定された画像要素を白黒画像に変換して表示し、他の画像要素は変換せずに表示し、前記画像データを元画像として表示する処理をコンピュータに実行させることを特徴とする。
【００２０】
請求項１５記載の画像データ生成プログラムの発明は、画像データの各画像要素について、所定の条件に基づいて白黒化するか否かを判定し、前記各画像要素のうち、白黒化すると判定された画像要素を白黒画像に変換して表示し、他の画像要素は変換せずに表示するとともに、前記白黒画像を点滅表示する処理をコンピュータに実行させることを特徴とする。
【００２１】
請求項１６記載の画像データ生成プログラムの発明は、画像データの各画像要素について、所定の条件に基づいて白黒化するか否かを判定し、前記各画像要素のうち、白黒化すると判定された画像要素のみを白黒画像に変換して表示する処理をコンピュータに実行させることを特徴とする。
【発明の効果】
【００２２】
請求項１の発明によれば、本構成を有していない場合に比較して、画像データを構成する画像要素の全部または一部を白黒化した結果について、元画像との対比により利用者が容易に確認することができる。
【００２３】
請求項２の発明によれば、本構成を有していない場合に比較して、画像データを構成する画像要素の全部または一部を白黒化した結果について、白黒画像の点滅表示により利用者が容易に確認することができる。
【００２４】
請求項３の発明によれば、本構成を有していない場合に比較して、画像データを構成する画像要素の全部または一部を白黒化した結果について、白黒画像のみの表示により利用者が容易に確認することができる。
【００２５】
請求項４の発明によれば、本構成を有していない場合に比較して、白黒画像の表示領域を小さくして利用者が見やすい画像とすることができる。
【００２６】
請求項５の発明によれば、本構成を有していない場合に比較して、白黒化判定の自由度を向上することができる。
【００２７】
請求項６の発明によれば、本構成を有していない場合に比較して、白黒化判定条件の変更を、利用者に直ちに示すことができる。
【００２８】
請求項７の発明によれば、本構成を有していない場合に比較して、元画像と変換後の画像とを容易に対比することができる。
【００２９】
請求項８の発明によれば、本構成を有していない場合に比較して、画像データを構成する画像要素の全部または一部を白黒化した結果について、元画像との対比により利用者が容易に確認することができる画像形成装置を提供できる。
【００３０】
請求項９の発明によれば、本構成を有していない場合に比較して、画像データを構成する画像要素の全部または一部を白黒化した結果について、白黒画像の点滅表示により利用者が容易に確認することができる画像形成装置を提供できる。
【００３１】
請求項１０の発明によれば、本構成を有していない場合に比較して、画像データを構成する画像要素の全部または一部を白黒化した結果について、白黒画像のみの表示により利用者が容易に確認することができる画像形成装置を提供できる。
【００３２】
請求項１１の発明によれば、本構成を有していない場合に比較して、画像データを構成する画像要素の全部または一部を白黒化した結果について、元画像との対比により利用者が容易に確認することができる画像形成システムを提供できる。
【００３３】
請求項１２の発明によれば、本構成を有していない場合に比較して、画像データを構成する画像要素の全部または一部を白黒化した結果について、白黒画像の点滅表示により利用者が容易に確認することができる画像形成システムを提供できる。
【００３４】
請求項１３の発明によれば、本構成を有していない場合に比較して、画像データを構成する画像要素の全部または一部を白黒化した結果について、白黒画像のみの表示により利用者が容易に確認することができる画像形成システムを提供できる。
【００３５】
請求項１４の発明によれば、本構成を有していない場合に比較して、画像データを構成する画像要素の全部または一部を白黒化した結果について、元画像との対比により利用者が容易に確認することができる画像データ生成プログラムを提供できる。
【００３６】
請求項１５の発明によれば、本構成を有していない場合に比較して、画像データを構成する画像要素の全部または一部を白黒化した結果について、白黒画像の点滅表示により利用者が容易に確認することができる画像データ生成プログラムを提供できる。
【００３７】
請求項１６の発明によれば、本構成を有していない場合に比較して、画像データを構成する画像要素の全部または一部を白黒化した結果について、白黒画像のみの表示により利用者が容易に確認することができる画像データ生成プログラムを提供できる。
【発明を実施するための最良の形態】
【００３８】
以下、本発明を実施するための最良の形態（以下、実施形態という）を、図面に従って説明する。
【００３９】
実施形態１．
図１には、本発明にかかる画像データ生成装置を含む画像形成装置の実施形態１における機能ブロック図が示される。図１において、画像データ生成装置１０は、蓄積処理部１００、表示制御部１２０、白黒化判定部１４０、印刷処理部１６０、記憶部１８０、通信部２００、入力部２２０及び表示部２４０を含んで構成されている。なお、画像データ生成装置１０は、コンピュータを使用して実現することができる。
【００４０】
蓄積処理部１００は、中央処理装置（ＣＰＵ）及び中央処理装置の処理動作を制御するプログラムにより実現され、アプリケーション２０が生成したカラー画像データを受け取って蓄積データに変換し、記憶部１８０のスプール部１８１に格納する機能である。ここで、蓄積データとは、表示部２４０に表示し、あるいは印刷装置３０で印刷するのに十分な情報が画像要素毎に読み出し可能な形式でスプール部１８１に蓄積されるデータであり、後工程での処理を効率化するための情報等が付加されていても良い。
【００４１】
表示制御部１２０は、ＣＰＵ及びその処理動作を制御するプログラムにより実現され、スプール部１８１に格納された蓄積データを、カラー画像データを構成する各画像要素単位でプレビュー表示する機能である。この表示制御部１２０は、印刷条件取得部１２１、設定画面表示部１２２、元画像表示部１２３及び変換画像表示部１２４を含んでいる。
【００４２】
ここで、印刷条件取得部１２１は、アプリケーション２０から受け取ったカラー画像データの印刷条件を取得する機能である。この印刷条件はアプリケーション２０から取得し、例えば印刷枚数、用紙サイズ、用紙方向、両面印刷の要否等の他、後述する白黒化判定条件も含まれる。アプリケーション２０から取得される印刷条件の値は、通常は設定画面表示部１２２が表示部２４０に表示する、印刷条件を設定、変更するための設定画面において利用者が設定した値であるが、アプリケーション２０によっては用紙サイズ等、上記設定画面で設定した値と異なる値が取得される場合もある。
【００４３】
設定画面表示部１２２は、表示部２４０に設定画面を表示し、入力部２２０からの入力に従って上記印刷条件の変更、印刷指示の受付等を行う機能である。
【００４４】
元画像表示部１２３は、スプール部１８１に格納された蓄積データに基づき、アプリケーション２０から受け取ったカラー画像データの元画像を生成し、プレビュー画像として表示部２４０に表示する機能である。
【００４５】
変換画像表示部１２４は、スプール部１８１に格納された蓄積データに基づき、各画像要素毎に白黒（モノクロ）表示処理またはカラー表示処理を行って変換画像を生成し、プレビュー画像として表示部２４０に表示する機能である。この変換画像表示部１２４は、カラー表示処理部１２４ａ及び白黒表示処理部１２４ｂを含んでいる。
【００４６】
カラー表示処理部１２４ａは、後述する白黒化判定部１４０の判定結果に基づいて、上記各画像要素単位で表示部２４０にカラー表示するためのカラー表示処理を実行する。また、白黒表示処理部１２４ｂは、白黒化判定部１４０の判定結果に基づいて、上記各画像要素単位で表示部２４０に白黒表示するための白黒表示処理を実行する。
【００４７】
白黒化判定部１４０は、ＣＰＵ及びその処理動作を制御するプログラムにより実現され、各画像要素について、所定の白黒化判定条件に基づいて白黒化するか否かを判定する機能である。ここで、所定の条件としては、例えば予め指定した色または指定しなかった色を白黒化する、彩度が所定の閾値以下の場合に白黒化する、下線が付いているテキストデータを白黒化する、電子メール用ソフトウエア等の特定アプリケーションからの印刷指示の場合にテキストデータを白黒化する等とすることができる。
【００４８】
印刷処理部１６０は、ＣＰＵ及びその処理動作を制御するプログラムにより実現され、スプール部１８１に格納された蓄積データを、白黒化判定部１４０の判定結果に基づいて、各画像要素毎にカラー印刷データあるいは白黒印刷データを生成する機能である。これらの印刷データは、例えばＰＤＬ等の形式で生成され、通信部２００に出力される。
【００４９】
記憶部１８０は、ハードディスク装置その他の磁気記憶装置等で実現され、ＣＰＵの処理動作を制御するプログラム、アプリケーション２０から受け取ったカラー画像データ等を記憶する機能である。この記憶部１８０には、上記蓄積データを格納するためのスプール部１８１が形成されている。
【００５０】
通信部２００は、ＵＳＢ（ユニバーサルシリアルバス）、ネットワークポート等の適宜な通信インターフェースにより実現され、印刷装置３０との間でデータのやり取りを行う。
【００５１】
入力部２２０は、キーボード、マウス等の入力装置により実現され、利用者が画像データ生成装置１０に対して所望の指示情報等を入力するために使用する。
【００５２】
表示部２４０は、液晶ディスプレイ、陰極線管等の表示装置により実現され、上述したカラー画像データの元画像及び変換画像をプレビュー画像として表示する。
【００５３】
図２には、本実施形態にかかる画像データ生成装置の動作例のフローが示される。図２において、蓄積処理部１００がアプリケーション２０から受け取ったカラー画像データに対して蓄積処理を実行し、蓄積データに変換してスプール部１８１に格納する（Ｓ１０１）。蓄積処理については図３で説明する。
【００５４】
次に、表示制御部１２０がプレビュー処理を実行し、スプール部１８１に格納された蓄積データを、元画像及び各画像要素単位の変換画像を表示部２４０にプレビュー表示する（Ｓ１０２）。プレビュー処理については図４で説明する。
【００５５】
次に、印刷処理部１６０が印刷データ生成処理を実行し、スプール部１８１に格納された蓄積データを印刷データに変換する（Ｓ１０３）。印刷データ生成処理については図６で説明する。
【００５６】
図３には、上記蓄積処理のフローが示される。図３において、蓄積処理部１００がアプリケーション２０からカラー画像データを受け取り（Ｓ２０１）、カラー画像データを構成する画像要素毎に蓄積データへの変換処理を行う（Ｓ２０２）。上記蓄積データは、スプール部１８１に格納する（Ｓ２０３）。
【００５７】
蓄積処理部１００は、上記画像要素のうち蓄積データに変換していないものがあるか否かを確認し（Ｓ２０４）、未変換の画像要素がある場合には、Ｓ２０２からの処理を繰り返す。また、Ｓ２０４において、未変換の画像要素が無い場合には、蓄積処理を終了する。
【００５８】
図４には、上記プレビュー処理のフローが示される。図４において、印刷条件取得部１２１が、アプリケーション２０からカラー画像データの印刷条件を取得する（Ｓ３０１）。この印刷条件には、白黒化判定部１４０が使用する白黒化判定条件も含まれるが、この白黒化判定条件は、アプリケーション２０から受け取るのではなく、予め記憶部１８０に記憶させておくのが好適である。
【００５９】
次に、元画像表示部１２３及び変換画像表示部１２４は、プレビュー画像表示処理として、スプール部１８１に格納された蓄積データに基づき、表示部２４０にプレビュー画像を表示する（Ｓ３０２）。このプレビュー画像表示処理については図５で説明する。
【００６０】
次に、設定画面表示部１２２は、上記印刷条件取得部１２１が取得した印刷条件に基づき、表示部２４０に設定画面を表示する（Ｓ３０３）。設定画面の例が、図８に示される。図８の例では、設定画面に白黒化判定条件が表示されている。この設定画面は、利用者が入力部２２０から入力した指示を受け付けるユーザインターフェースとして機能する。
【００６１】
設定画面表示部１２２は、上記設定画面を介した指示入力の有無を監視し（Ｓ３０４）、指示入力があった場合に、当該指示入力が印刷指示か否かを判断する（Ｓ３０５）。印刷指示であった場合には、印刷処理部１６０が印刷データ生成処理を行う（Ｓ３０６）。印刷データ生成処理については図６で説明する。
【００６２】
また、Ｓ３０５で、指示入力が印刷指示でなかった場合には、印刷条件の変更指示であるので、設定画面表示部１２２が印刷条件を変更し（Ｓ３０７）、Ｓ３０３からの処理を繰り返す。
【００６３】
図５には、上記プレビュー画像表示処理のフローが示される。図５において、表示制御部１２０がスプール部１８１に格納されている蓄積データを画像要素毎に読み出す（Ｓ４０１）。
【００６４】
元画像表示部１２３は、上記読み出した画像要素に基づき、カラー画像データの元画像を生成し、表示部２４０に表示する（Ｓ４０２）。
【００６５】
また、表示制御部１２０は、上記読み出した画像要素を白黒化判定部１４０に渡す。白黒化判定部１４０では、所定の白黒化判定条件に基づいて当該画像要素を白黒化するか否かを判定する（Ｓ４０３）。
【００６６】
Ｓ４０３において白黒化しないと判定された場合には（Ｓ４０４）、変換画像表示部１２４のカラー表示処理部１２４ａが、当該画像要素を表示部２４０にカラー画像として表示する（Ｓ４０５）。この場合のカラー画像は、アプリケーション２０が生成したカラー画像データを変更せずに表示されるものである。一方、Ｓ４０３において白黒化すると判定された場合には（Ｓ４０４）、白黒表示処理部１２４ｂが、当該画像要素を表示部２４０に白黒画像として表示する（Ｓ４０６）。
【００６７】
次に、変換画像表示部１２４は、スプール部１８１に白黒表示処理またはカラー表示処理を行っていない画像要素があるか否かを確認し（Ｓ４０７）、未処理の画像要素がある場合には、Ｓ４０１からの処理を繰り返す。また、未処理の画像要素がない場合には、プレビュー画像表示処理を終了する。
【００６８】
図６には、上記印刷データ生成処理のフローが示される。図６において、印刷処理部１６０が、スプール部１８１に格納されている蓄積データを画像要素毎に読み出す（Ｓ４０１）。また、印刷処理部１６０は、上記読み出した画像要素を白黒化判定部１４０に渡す。白黒化判定部１４０では、所定の白黒化判定条件に基づいて当該画像要素を白黒化するか否かを判定する（Ｓ５０２）。Ｓ５０２において白黒化しないと判定された場合には（Ｓ５０３）、印刷処理部１６０が、当該画像要素のカラー印刷データを生成する（Ｓ５０４）。一方、Ｓ５０２において白黒化すると判定された場合には（Ｓ５０３）、印刷処理部１６０が、当該画像要素の白黒印刷データを生成する（Ｓ５０５）。
【００６９】
次に、印刷処理部１６０は、上記印刷データを通信部２００に出力し、印刷装置３０に送信する（Ｓ５０６）。
【００７０】
その後、印刷処理部１６０は、スプール部１８１に印刷データ生成処理を行っていない画像要素があるか否かを確認し（Ｓ５０７）、未処理の画像要素がある場合には、Ｓ５０１からの処理を繰り返す。また、未処理の画像要素がない場合には、スプール部１８１の蓄積データを消去し（Ｓ５０８）、印刷データ生成処理を終了する。
【００７１】
図７（ａ）、（ｂ）には、プレビュー画像の例が示される。図７（ａ）には、元画像の例が、図７（ｂ）には、上記白黒化判定後の画像の例が示され、それぞれプレビュー画像として対比できるように表示されている。図７（ａ）、（ｂ）において、プレビュー画像は、テキスト部分、人物画、３本の棒グラフ、棒グラフ用の背景（枠及び横線）の画像要素により構成されている。なお、この画像要素は、カラー画像データを生成するアプリケーション２０の印刷コマンドに応じて画像データ生成装置１０が認識するものである。
【００７２】
図７（ａ）は、アプリケーション２０が生成したカラー画像データを変更せずに元画像として表示したものであり、テキスト部分の画像要素が白黒画像であり、他の画像要素がカラー画像となっている。
【００７３】
これに対して、図７（ｂ）は、人物画の画像要素が白黒画像となっている。これは、例えば白黒化判定部１４０が使用する白黒化判定条件が、当該人物画の色を白黒化することとしていた場合等に相当する。
【００７４】
図８には、図４のＳ３０３で表示された設定画面の例が示される。図８において、設定画面には、上述した元画像Ａ及び白黒化判定後の画像Ｂ及び白黒化判定条件選択画面Ｃが表示されている。利用者は、同一の画面に並べて表示された元画像Ａ及び白黒化判定後の画像Ｂを対比しつつ、入力部２２０からの指示入力により白黒化判定条件選択画面Ｃに示された白黒化判定条件ｃ１から所望の判定条件を選択する。白黒化判定部１４０は、選択された判定条件に応じて白黒化する画像要素を変更し、変換画像表示部１２４が、この変更を白黒化判定後の画像Ｂの表示に反映する。
【００７５】
また、白黒化判定条件選択画面Ｃには、ページを切り替えるための切替スイッチｃ２が設けられ、アプリケーション２０が生成したカラー画像データが複数ページである場合には、ページを切り替えることができる。さらに、白黒化判定条件選択画面Ｃには、印刷ボタンｃ３も設けられ、図４のＳ３０５における印刷指示を入力することができる。
【００７６】
なお、上記画像形成装置の発明は、画像データ生成装置１０と印刷装置３０とを含む画像形成システムとして実現してもよい。また、以上に述べた図２から図６の各ステップを実行するためのプログラムは、通信手段により提供してもよいし、ＣＤＲＯＭ等の記憶媒体に格納して提供してもよい。
【００７７】
実施形態２．
図９には、本発明にかかる画像データ生成装置を含む画像形成装置の実施形態２における機能ブロック図が示され、図１と同一要素には同一符号を付してその説明を省略する。図９において特徴的な点は、元画像表示部１２３が無くなった点、及び変換画像表示部１２４に、白黒表示処理部１２４ｂの代わりに白黒点滅表示処理部１２４ｃが設けられた点である。この白黒点滅表示処理部１２４ｃは、白黒化判定部１４０が白黒化すると判定した画像要素を白黒画像とするとともに、当該画像要素を点滅表示し、カラー画像を白黒画像に変更したことを強調表示する。
【００７８】
図１０には、本実施形態におけるプレビュー画像の例が示される。図１０において、元画像でカラーであった人物画の画像要素が白黒画像となっており、この部分が点滅表示されていて、カラー画像が白黒画像に変更されたことを示している。また、点滅表示により、白黒画像に変更した画像要素を容易に確認することができるので、元画像は表示されない。
【００７９】
なお、上記画像形成装置の発明は、画像データ生成装置１０と印刷装置３０とを含む画像形成システムとして実現してもよい。
【００８０】
実施形態３．
図１１には、本発明にかかる画像データ生成装置を含む画像形成装置の実施形態３における機能ブロック図が示され、図１と同一要素には同一符号を付してその説明を省略する。図１１において特徴的な点は、元画像表示部１２３が無くなった点、及び変換画像表示部１２４からカラー表示処理部１２４ａを無くし、白黒表示処理部１２４ｂのみ設けた点である。この構成により、本実施形態では、プレビュー画像として白黒画像のみが表示される。
【００８１】
図１２には、本実施形態におけるプレビュー画像の例が示される。図１２において、プレビュー画像には、白黒画像の画像要素みが表示されており、カラー画像の画像要素は表示されていない。
【００８２】
また、本実施形態では白黒画像のみ表示されるので、元画像でカラー画像が表示される領域が余白領域となる。そこで、白黒表示処理部１２４ｂが、その余白領域を削除し、白黒画像として表示される画像要素を、元画像の表示領域より小さな領域に詰めて表示するように構成するのが好適である。
【００８３】
なお、上記画像形成装置の発明は、画像データ生成装置１０と印刷装置３０とを含む画像形成システムとして実現してもよい。
【図面の簡単な説明】
【００８４】
【図１】本発明にかかる画像データ生成装置を含む画像形成装置の実施形態１における機能ブロック図である。
【図２】本発明にかかる画像データ生成装置の動作例のフロー図である。
【図３】蓄積処理のフロー図である。
【図４】プレビュー処理のフロー図である。
【図５】プレビュー画像表示処理のフロー図である。
【図６】印刷データ生成処理のフロー図である。
【図７】実施形態１におけるプレビュー画像の例を示す図である。
【図８】実施形態１における設定画面の例を示す図である。
【図９】本発明にかかる画像データ生成装置を含む画像形成装置の実施形態２における機能ブロック図である。
【図１０】実施形態２におけるプレビュー画像の例を示す図である。
【図１１】本発明にかかる画像データ生成装置を含む画像形成装置の実施形態３における機能ブロック図である。
【図１２】実施形態３におけるプレビュー画像の例を示す図である。
【符号の説明】
【００８５】
１０  画像データ生成装置、２０  アプリケーション、３０  印刷装置、１００  蓄積処理部、１２０  表示制御部、１２１  印刷条件取得部、１２２  設定画面表示部、１２３  元画像表示部、１２４  変換画像表示部、１２４ａ  カラー表示処理部、１２４ｂ  白黒表示処理部、１２４ｃ  白黒点滅表示処理部、１４０  白黒化判定部、１６０  印刷処理部、１８０  記憶部、１８１  スプール部、２００  通信部、２２０  入力部、２４０  表示部。
【図１】
2008080592.tif 000003
【図２】
2008080592.tif 000004
【図３】
2008080592.tif 000005
【図４】
2008080592.tif 000006
【図５】
2008080592.tif 000007
【図６】
2008080592.tif 000008
【図７】
2008080592.tif 000009
【図８】
2008080592.tif 000010
【図９】
2008080592.tif 000011
【図１０】
2008080592.tif 000012
【図１１】
2008080592.tif 000013
【図１２】
2008080592.tif 000014